(57)【特許請求の範囲】
【請求項１】
被加熱物を加熱する加熱コイルと、
上部に開口を有し、前記加熱コイルを収容する本体ケースと、
前記本体ケースの上部の開口を覆うトッププレートと、
吸排気口が形成され、前記トッププレートの周囲に取り付けられる枠体と、
前記吸排気口を覆うようにして前記枠体に取り付けられ、前記吸排気口と連通する複数の穴部が形成されている吸排気カバーと、を備え、
前記吸排気カバーには忌避剤がコーティングされており、
前記穴部は、
穴寸法が５ｍｍ未満であるときには前記吸排気カバーの各端部から１６ｍｍ以上離した位置に形成され、
穴寸法が５ｍｍ以上であるときには前記吸排気カバーの各端部から４０ｍｍ以上離した位置に形成される
ことを特徴とする加熱調理器。
【請求項２】
前記吸排気口は、
前記本体ケースの後部上面に形成されている
ことを特徴とする請求項１に記載の加熱調理器。
【請求項３】
被加熱物を加熱する加熱コイルと、
上部に開口が、周囲の少なくとも一部に外部と連通する複数の穴部が形成され、前記加熱コイルを収容する本体ケースと、
前記本体ケースの上部の開口を覆うトッププレートと、
前記トッププレートの周囲に取り付けられる枠体と、を備え、
前記本体ケースの前記複数の穴部が形成されている部材には忌避剤がコーティングされており、
前記穴部は、
穴寸法が５ｍｍ未満であり、前記部材の各端部から１６ｍｍ以上離した位置に形成されている
ことを特徴とする加熱調理器。
【請求項４】
前記複数の穴部は、
前記本体ケースの背面に形成され、吸排気口として機能する
ことを特徴とする請求項３に記載の加熱調理器。
【請求項５】
前記忌避剤は、
防虫菊の成分の一つであるピレスロイド系化合物を含んでいる
ことを特徴とする請求項１〜４のいずれか一項に記載の加熱調理器。
【発明の詳細な説明】
【技術分野】
【０００１】
本発明は、本体ケース内部へのゴキブリの侵入に対する対策を施した加熱調理器に関するものである。
【背景技術】
【０００２】
加熱調理器の１つの例として、たとえば誘導加熱調理器が知られている。この誘導加熱調理器は、外郭を構成する部材として多くの穴部が形成されている本体ケースを備えている。本体ケースに形成されている穴部は、たとえば吸気口や排気口として利用されている。ところで、一般家庭に潜伏しており、誘導加熱調理器などの家電製品に侵入する害虫の１つとしてゴキブリが知られている。ゴキブリは、誘導加熱調理器の本体ケースに形成されている穴部から本体ケース内部に侵入する。誘導加熱調理器の本体ケース内部には、ゴキブリの好む環境になっている箇所が多く存在する。そのような箇所としては、たとえば、雰囲気温度が約３０℃であり、本体ケース外部よりも暗く、吸入空気に含まれている脂成分が付着してしまうことが多い制御基板の付近が挙げられる。
【０００３】
ゴキブリが、誘導加熱調理器の本体ケース内部を徘徊したり定着したりすることで、制御基板に実装されている電気的な部品に接触してしまうという事態が発生し得る。そうなると、電気的な導通不良やショートが起こり、誘導加熱調理器が故障してしまう可能性も生じる。そこで、本体ケース内部へのゴキブリの侵入に対する対策を施した加熱調理器が種々考えられている。そのようなものとして、気化蒸散した忌避剤を、ファンによる冷却風を利用して本体ケース内部の隅々まで行き渡らせ、ゴキブリの本体ケース内部への侵入を未然に防止するようにした加熱調理器が提案されている（たとえば、特許文献１参照）。
【先行技術文献】
【特許文献】
【０００４】
【特許文献１】特許第４３０１０６７号公報（第４−６頁、図１等）
【発明の概要】
【発明が解決しようとする課題】
【０００５】
特許文献１に記載されているような加熱調理器では、気化蒸散する忌避剤を使用しているため、忌避効果が長続きしない。忌避効果を長続きさせるためには、忌避剤を交換しなければならず、使用者負担が増加してしまう。また、加熱調理器を使用していない場合、つまりファンが駆動していない場合には、忌避剤を本体ケース内部に行き渡らせることができないので、忌避効果が薄れてしまう。さらに、吸気口から忌避剤が収納されている忌避剤ケースの上流側までは、忌避効果が得られず、ゴキブリが吸気口を介して本体ケース内部に侵入し、定着してしまう可能性がある。またさらに、排気口付近では、忌避剤が本体ケース外部に飛散してしまい、忌避効果が薄れてしまうため、ゴキブリが排気口を介して本体ケース内部に侵入し、定着してしまう可能性がある。
【０００６】
本発明は、以上のような課題のうち少なくとも一つを解決するためになされたもので、安定した忌避効果を発揮し、本体ケースや吸排気カバーに形成されている穴部からのゴキブリの侵入を低減し、本体ケース内部でのゴキブリの定着を抑制するようにした加熱調理器を提供するものである。
【課題を解決するための手段】
【０００７】
本発明に係る加熱調理器は、被加熱物を加熱する加熱コイルと、上部に開口を有し、前記加熱コイルを収容する本体ケースと、前記本体ケースの上部の開口を覆うトッププレートと、吸排気口が形成され、前記トッププレートの周囲に取り付けられる枠体と、前記吸排気口を覆うようにして前記枠体に取り付けられ、前記吸排気口と連通する複数の穴部が形成されている吸排気カバーと、を備え、前記吸排気カバーには忌避剤がコーティングされており、前記穴部は、穴寸法が５ｍｍ未満であるときには前記吸排気カバーの各端部から１６ｍｍ以上離した位置に形成され、穴寸法が５ｍｍ以上であるときには前記吸排気カバーの各端部から４０ｍｍ以上離した位置に形成されるものである。
【０００８】
本発明に係る加熱調理器は、被加熱物を加熱する加熱コイルと、上部に開口が、周囲の少なくとも一部に外部と連通する複数の穴部が形成され、前記加熱コイルを収容する本体ケースと、前記本体ケースの上部の開口を覆うトッププレートと、前記トッププレートの周囲に取り付けられる枠体と、を備え、前記本体ケースの前記複数の穴部が形成されている部材には忌避剤がコーティングされており、前記穴部は、穴寸法が５ｍｍ未満であり、前記部材の各端部から１６ｍｍ以上離した位置に形成されているものである。
【発明の効果】
【０００９】
本発明に係る加熱調理器によれば、吸排気カバーに忌避剤がコーティングされており、穴部の形成位置が穴部の穴寸法に応じて決定されているので、安定した忌避効果を発揮でき、本体ケース内へ侵入するゴキブリの数を大幅に低減することができ、本体ケース内部でのゴキブリの定着を抑制することができる。
【００１０】
本発明に係る加熱調理器によれば、本体ケースの複数の穴部が形成されている部材には忌避剤がコーティングされており、穴部は、穴寸法が５ｍｍ未満であり、部材の各端部から１６ｍｍ以上離した位置に形成されているので、安定した忌避効果を発揮でき、ゴキブリの中では、最小と考えられているチャバネゴキブリだけでなく、クロゴキブリ、ヤマトゴキブリ及びワモンゴキブリの侵入も大幅に抑制でき、本体ケース内部でのゴキブリの定着を抑制することができる。
【図面の簡単な説明】
【００１１】
【図１】本発明の実施の形態に係る加熱調理器の外観の一例を概略的に示す斜視図である。
【図２】本発明の実施の形態に係る加熱調理器の断面構成の一例を概略的に示す概略縦断面図である。
【図３】本発明の実施の形態に係る加熱調理器の断面構成の他の一例を概略的に示す概略縦断面図である。
【図４】本発明の実施の形態に係る加熱調理器の外郭の一部を構成する部材の一例を概略的に示す斜視図である。
【図５】本発明の実施の形態に係る加熱調理器の外郭の一部を構成する部材の他の一例を概略的に示す平面図である。
【図６】本発明の実施の形態に係る加熱調理器の外郭の一部を構成する部材の更に別の一例を概略的に示す平面図である。
【図７】チャバネゴキブリの体長を説明するための説明図である。
【図８】クロゴキブリ、ヤマトゴキブリ及びワモンゴキブリの体長を説明するための説明図である。
【発明を実施するための形態】
【００１２】
以下、本発明の実施の形態を図面に基づいて説明する。
図１は、本発明の実施の形態に係る加熱調理器１００の外観の一例を概略的に示す斜視図である。図２は、加熱調理器１００の断面構成の一例を概略的に示す概略縦断面図である。図３は、加熱調理器１００の断面構成の他の一例を概略的に示す概略縦断面図である。図１〜図３に基づいて、加熱調理器１００の構成について説明する。なお、図１を含め、以下の図面では各構成部材の大きさの関係が実際のものとは異なる場合がある。また、図１〜図３には、空気の流れを矢印で表している。
【００１３】
これらの図において、加熱調理器１００は、たとえば誘導加熱調理器に適用され、その本体ケース１は、上部に開口を有する矩形状箱体に形成されている。本体ケース１の上部開口は、周囲に枠体３が取り付けられたトッププレート２によって覆われている。トッププレート２は、耐熱強化ガラスより構成され、その裏面には内部が見えないように印刷が施されている。また、トッププレート２の表面には、例えば、被加熱物である調理容器（たとえば、図１に示す鍋５０）を加熱する位置を示す円形の加熱部Ｈ１、Ｈ２、Ｈ３が印刷等の方法で表示されている。
【００１４】
トッププレート２の前側の枠体３には、上面操作部４が設けられている。その上面操作部４は、たとえば、加熱部Ｈ１、Ｈ２にそれぞれ対応して設けられた火力設定用操作部と、グリルの加熱を操作するグリル用操作部からなっている。図１及び図２に示す例では、トッププレート２の後ろ側の枠体３に、吸排気カバー５が着脱自在に設けられている場合を示している。つまり、枠体３に吸気口３１及び排気口２７が形成されており、これらを覆うように吸排気カバー５が設けられているのである。図３に示す例では、トッププレート２の枠体３ではなく、本体ケース１の背面に、吸気口３１及び排気口２７が形成されている。この場合でも、吸排気カバー５を着脱自在に設けてもよい。
【００１５】
加熱調理器１００に吸排気カバー５を設ける場合、吸排気カバー５は、吸気口３１及び排気口２７を覆うだけでなく、本体ケース１内に、害虫、特にゴキブリが侵入するのを抑制するためにも機能している。すなわち、吸排気カバー５は、本体ケース１及び枠体３と同様に、加熱調理器１００に取り付けられた状態においては加熱調理器１００の外郭の一部を構成するようになっている。なお、ゴキブリの侵入については、図４〜図６で詳細に説明する。また、図１では、吸排気カバー５に形成されている穴部を図示省略している。
【００１６】
トッププレート２の前面側の中央部には、中央の加熱部Ｈ３の動作状態や、グリルの操作手順、動作状態等を表示する中央液晶表示部７と、その加熱部Ｈ３の火力を表示する中央火力表示部８が設けられている。また、中央液晶表示部７の左右には、加熱部Ｈ１、Ｈ２の動作状態をそれぞれ表示する液晶表示部９と、加熱部Ｈ１、Ｈ２の火力をそれぞれ表示する火力表示部１０が設けられている。
【００１７】
本体ケース１の前面には、前後に移動可能なグリル扉１１と前面操作部１２が設けられている。前面操作部１２には、加熱部Ｈ１、Ｈ２、Ｈ３の火力をそれぞれ調節するための火力調節ダイヤルや電源スイッチ等が設けられている。グリル扉１１は、図示省略のグリル加熱庫を開閉するものである。このグリル加熱庫は、前面に開口を有する矩形状箱体に形成され、その中にシーズヒーターからなる上ヒーターや下ヒーターが配設されている。そして、グリル加熱庫の前面開口がグリル扉１１によって開閉される。
【００１８】
本体ケース１内には、図２に示すように、加熱調理器１００の加熱源である加熱コイル２１が配置されている。加熱コイル２１は、本体ケース１内に水平に設置されたコイルベース２３の上面に配置されている。また、本体ケース１内の加熱部Ｈ３に対応する位置には、図示省略のラジエントヒーターが配置されている。さらに、本体ケース１の底板には、図示省略のグリル加熱庫、電源基板やインバータ基板が実装された制御基板２５が配置されている。
【００１９】
また、本体ケース１の内部には、風路３０が形成されている。風路３０は、本体ケース１に形成された吸気口３１と、本体ケース１の幅方向に吸気口３１と並ぶように形成されている排気口２７とを連通している。図１及び図２に示す例では、吸気口３１及び排気口２７が本体ケース１の後部上面に形成されている場合を示している。図３に示す例では、吸気口３１及び排気口２７が本体ケース１の背面に形成されている場合を示している。
【００２０】
風路３０内には、冷却空気を本体ケース１内部に取り込むファン３５が設けられている。このファン３５は、吸気口３１から外部の空気を冷却空気として吸引し、この冷却空気を制御基板２５や加熱コイル２１に送り込み、排気口２７から排出している。なお、風路３０は、本体ケース１の内部にダクト等を設置し、ダクトの両端部を吸気口３１及び排気口２７に連結することで構成するとよい。
【００２１】
図４は、加熱調理器１００の外郭の一部を構成する部材６０の一例を概略的に示す斜視図である。図５は、加熱調理器１００の外郭の一部を構成する部材６０の他の一例を概略的に示す平面図である。図６は、加熱調理器１００の外郭の一部を構成する部材６０の更に別の一例を概略的に示す平面図である。図７は、チャバネゴキブリの体長を説明するための説明図である。図８は、クロゴキブリ、ヤマトゴキブリ及びワモンゴキブリの体長を説明するための説明図である。図４〜図８に基づいて、加熱調理器１００の外郭の一部を構成する部材６０の作用について詳細に説明する。
【００２２】
なお、図５及び図６では、穴部６６を一部省略して図示している。また、図４〜図６に図示している数値の単位はｍｍである。さらに、図７及び図８には、各ゴキブリのオスメスの最低体長（Ｌｍｉｎ）と、最高体長（Ｌｍａｘ）と、を図示している。また、図４〜図６に示す部材６０は、たとえば本体ケース１の後部上面又は本体ケース１の背面に設けられる吸排気カバー５や、本体ケース１の構成の一部、枠体３の構成の一部に適用可能になっている。ただし、図４では、部材６０を、本体ケース１の後部上面に設けられる吸排気カバー５とした状態を例に示している。図４に示す部材６０の略中央部分の線Ａは、部材６０が吸排気カバー５として適用された場合を想定し、吸気口３１に対応する部分５ａと、排気口２７に対応する部分５ｂと、を分かりやすくするために便宜的に図示したものであり、実際にはあってもなくてもよい。
【００２３】
部材６０は、表面に忌避剤がコーティングされ、本体ケース１の後部上面又は背面に形成されている吸気口３１及び排気口２７に着脱自在に設けられる吸排気カバー５として適用される。また、部材６０は、吸排気カバー５だけでなく、本体ケース１の吸気口３１及び排気口２７が形成されている部材としても適用される。
【００２４】
部材６０は、たとえば溶融亜鉛メッキ鋼板で構成されており、その表面に約１μｍの忌避剤がコーティングされている。忌避剤とは、ゴキブリ忌避成分（たとえば、防虫菊の成分であるピレスロイド系化合物等）を含んだ物質のことを意味している。たとえば、バース樹脂にゴキブリ忌避成分とクロメートフリー防錆成分を混合したものを部材６０にコーティングするとよい。このように構成された部材６０にゴキブリが触れると、ゴキブリが忌避剤により異常行動を起こし、部材６０から逃げ出す。部材６０に同じゴキブリが数回接触した場合には、そのゴキブリは部材６０に寄りつかなくなるので、吸気口３１や排気口２７から本体ケース１内へ浸入するゴキブリの数を減らすことができる。
【００２５】
部材６０には複数の穴部６６が形成されている。この穴部６６は、部材６０を吸排気カバー５として適用する場合は、吸気口３１及び排気口２７を外気と連通させるために作用し、部材６０を本体ケース１の一部として適用する場合は、吸気口３１及び排気口２７そのものとして作用する。なお、本体ケース１の周囲には、吸気口３１及び排気口２７以外の穴部も形成されている場合があり、部材６０はそのような穴部が形成された部分にも適用可能になっている。
【００２６】
穴部６６の形成位置を何ら考慮せずに、穴部６６を形成すると、ゴキブリの侵入を容易にしてしまいかねない。そこで、加熱調理器１００では、図７及び図８に示すように、日本国内に存在している代表的なゴキブリの身体的特徴を考慮して、穴部６６の形成位置を決定した。
【００２７】
一般家庭に潜伏しており、加熱調理器１００に侵入するゴキブリの中では、チャバネゴキブリが最小と考えられている。図７から、チャバネゴキブリは、オスメス併せても体長が１０．０ｍｍから１６．０ｍｍであることが分かっている。そこで、加熱調理器１００では、穴部６６を部材６０の各端部６５Ａから１６ｍｍ以上離した位置に形成するようにしている。こうすることで、部材６０の各端部６５Ａから穴部６６までの距離がチャバネゴキブリの最高体長よりも長くなり、十分な忌避効果を得られるようにしている。
【００２８】
また、チャバネゴキブリだけを基準に考えれば、穴部６６の穴寸法（直径）を５ｍｍ未満とすることで、チャバネゴキブリだけでなく、クロゴキブリ、ヤマトゴキブリ及びワモンゴキブリの侵入も大幅に抑制できる。それは、クロゴキブリ、ヤマトゴキブリ及びワモンゴキブリは、チャバネゴキブリよりも大きいからである（図７及び図８参照）。しかしながら、クロゴキブリ、ヤマトゴキブリ及びワモンゴキブリはチャバネゴキブリよりも大きいため、穴部６６を部材６０の各端部６５Ａから１６ｍｍ以上離した位置に形成したとしても忌避効果が十分に発揮することができない。また、吸排気の圧損等を考慮に入れると穴部６６の穴寸法を５ｍｍ以上にしたい場合もある。
【００２９】
そこで、加熱調理器１００では、穴部６６の穴寸法を５ｍｍ以上としたときには、穴部６６を部材６０の各端部６５Ａから４０ｍｍ以上離した位置に形成するようにしている。こうすることで、部材６０の各端部６５Ａから穴部６６までの距離がクロゴキブリ及びヤマトゴキブリの最高体長よりも長くなり、穴部６６に到達するまでに忌避剤の上を十分に歩かせることができ、十分な忌避効果を得られるようにしている。また、４０ｍｍは、ワモンゴキブリの最高体長よりは短いが、それでも穴部６６に到達するまでに忌避剤の上を十分に歩かせることができるので、十分な忌避効果は得られる。
【００３０】
穴部６６の穴寸法を５ｍｍ以上とすると、穴部６６からチャバネゴキブリが容易に侵入できてしまうことになるが、部材６０の各端部６５Ａから穴部６６までの距離を４０ｍｍ以上としているので、チャバネゴキブリが穴部６６に到達するまでに忌避剤の上を十分に歩かせることができ、チャバネゴキブリが穴部６６に到達しにくいものとなっている。そのため、穴部６６の穴寸法を５ｍｍ以上としたときは、穴部６６を部材６０の各端部６５Ａから４０ｍｍ以上離した位置に形成することで、クロゴキブリ、ヤマトゴキブリ及びワモンゴキブリだけでなく、チャバネゴキブリに対しても十分な忌避効果が得られる。
【００３１】
以上のように、加熱調理器１００によれば、忌避剤がコーティングされている部材６０を外郭の一部（たとえば、本体ケース１の一部や吸排気カバー５等）として備え、穴部６６の形成位置が穴部６６の穴寸法に応じて決定されているので、安定した忌避効果を発揮でき、本体ケース１内へ侵入するゴキブリの数を大幅に低減することができ、本体ケース１内部でのゴキブリの定着を抑制することができる。そのため、ゴキブリが加熱コイル２１やファン３５、制御基板２５などに定着する可能性が低くなり、制御基板２５の電気的な部品故障を抑えることができ、長寿命化を図ることが可能になっている。
【００３２】
なお、実施の形態では、加熱コイル２１が２つ備えられている場合を例に説明したが、これに限定するものではない。たとえば、加熱コイル２１を１つだけ備えたものでもよく、加熱コイル２１を３つ以上備えたものでもよい。また、実施の形態では、トッププレート２としてガラスで成型されたガラストップを例に説明したが、これに限定するものではない。たとえば、合成樹脂などで成型したものでトッププレート２を構成するようにしてもよい。
【００３３】
また、実施の形態では、加熱調理器１００をビルトイン型（システムキッチン一体型）ＩＨクッキングヒータに用いた場合を例に説明したが、これに限定するものではなく、据え置き型や卓上型のＩＨクッキングヒータ等、部材６０を適用できる他の加熱調理器に用いても同様の作用効果を有することは言うまでもない。また、穴部６６の個数や、穴部６６それぞれの大きさ、穴部６６それぞれの配置位置などを特に限定するものではない。さらに、忌避剤のコーティングについても特に限定するものではなく、広く普及されている方法によって忌避剤を部材６０にコーティングすればよい。
【符号の説明】
【００３４】
１  本体ケース、２  トッププレート、３  枠体、４  上面操作部、５  吸排気カバー、５ａ  部分、５ｂ  部分、７  中央液晶表示部、８  中央火力表示部、９  液晶表示部、１０  火力表示部、１１  グリル扉、１２  前面操作部、２１  加熱コイル、２３  コイルベース、２５  制御基板、２７  排気口、３０  風路、３１  吸気口、３５  ファン、５０  鍋、６０  部材、６６  穴部、６５Ａ  端部、１００  加熱調理器、Ｈ１  加熱部、Ｈ２  加熱部、Ｈ３  加熱部。
【図１】
0005840030.tif 000002
【図２】
0005840030.tif 000003
【図３】
0005840030.tif 000004
【図４】
0005840030.tif 000005
【図５】
0005840030.tif 000006
【図６】
0005840030.tif 000007
【図７】
0005840030.tif 000008
【図８】
0005840030.tif 000009